(57)【要約】      （修正有）【課題】配線上に敷設した場合、配線を位置決めし、マット内に隠蔽することができ、当該部分の連結型マットが隆起することなくマット全体の平坦性を維持する連結型マットを提供する。【解決手段】外周縁部に連続した凹凸４４，４５が形成された連結型マットの底面４１１に、一方の端縁部の凸部、もしくは凹部の中心から対向する他方の端縁部の凹部、もしくは凸部の中心に至る複数の凹溝４２１、４２２を垂直に交差させて形成して配線が通過する配線溝とし、該配線溝と同様の形状の補強パッド５を該配線溝に着脱自在に嵌挿する。【選択図】図３
0003101013.tif 000002
【実用新案登録請求の範囲】
【請求項１】
複数枚を連結して敷設する連結型マットであって、
それぞれの連結型マットの底面に凹状の配線溝を形成してなり、且つ該連結型マットを複数枚連結することによって該配線溝が連結して該マットを敷設する場所に設けられる配線の経路が形成されることを特徴とする配線経路を有する連結型マット。
【請求項２】
前記配線溝は、少なくとも一以上の凹溝に他の凹溝が垂直に直交して、十字状を形成することを特徴とする請求項１に記載の配線経路を有する連結型マット。
【請求項３】
前記配線溝には、該配線溝の形状に合わせて複数のパッド本体を一体に形成してなる補強パッドを着脱自在に嵌挿することを特徴とする請求項２に記載の配線経路を有する連結型マット。
【請求項４】
前記連結型マットの外周縁部には凹部と凸部とを互い違いに形成して連続する凹凸状を形成し、且つ対向する両側辺において、一方の凹部に他方の凸部が対向するように形成することを特徴とする請求項１に記載の配線経路を有する連結型マット。
【請求項５】
前記配線溝が該連結型マットの端縁部において該凸部、もしくは凹部の中心を通過して隣り合う他の連結型マットに形成される配線溝と連結することを特徴とする請求項４に記載の配線経路を有する連結型マット。
【請求項６】
前記連結型マットは、発泡材による本体の底面に該凹状の配線溝を形成することを特徴とする請求項４に記載の配線経路を有する連結型マット。
【考案の詳細な説明】
【技術分野】
【０００１】
この考案は、複数枚のマットを連結して敷設する連結型マットに関し、特に電気機器などのコードが通過する経路を有する連結型マットに関する。
【背景技術】
【０００２】
図1に従来の連結型マットを開示する。図示によれば、従来の連結型マット（１）は、複数を任意に連結して面積を広げることができる。このため、消費者に好まれ、幅広く使用されている。係る連結型マット（１）は連結して必要な広さだけ敷設することができ、美化の目的も達成することができるが、実際の使用においては、なおも解決しなければならない欠点を有する。
【０００３】
室内には通常、電話などの通信機器や電化製品などが設けられているため、床や壁面に電話線が配線されていて、また電源の延長コード、インターネットなどのコード（２）が床に沿って延伸しているとともに、これらを保護するためのコードカバー（３）などが設けられている。このため、連結型マット（１）を敷設する場合、コード（２）やコードカバー（３）に当接する部分が突起して、隣接する連結型マット（１）と高さの違いが発生するため、敷設するマット全体の平坦性が得られないのみならず、全体的な美観を損ねる。
【考案の開示】
【考案が解決しようとする課題】
【０００４】
本考案が解決しようとする課題は、電気機器のコードなどを配線した床面などに敷設しても表面の平坦性が得られる連結型マットを提供することにある。
【課題を解決するための手段】
【０００５】
そこで本考案者は、従来の技術に見られる欠点に鑑み、鋭意研究を重ねた結果、連結型マットの底面に凹状の配線溝を形成してなる構造によって課題を解決できる点に着眼し、かかる知見に基づき本考案を完成させた。
【０００６】
以下この考案について具体的に説明する。
請求項１に記載する配線経路を有する連結型マットは、複数枚を連結して敷設する連結型マットであって、
それぞれの連結型マットの底面に凹状の配線溝を形成してなり、且つ該連結型マットを複数枚連結することによって該配線溝が連結して、該マットを敷設する場所に設けられる配線の経路が形成される。
【０００７】
請求項２に記載する配線経路を有する連結型マットは、請求項１における配線溝は、少なくとも一以上の凹溝に他の凹溝が垂直に直交して、十字状を形成する。
【０００８】
請求項３に記載する配線経路を有する連結型マットは、請求項２における配線溝には、該配線溝の形状に合わせて複数のパッド本体を一体に形成してなる補強パッドを着脱自在に嵌挿する。
【０００９】
請求項４に記載に記載する配線経路を有する連結型マットは、請求項１における連結型マットの外周縁部には凹部と凸部とを互い違いに形成して連続する凹凸状を形成し、且つ対向する両側辺において、一方の凹部に他方の凸部が対向するように形成する。
【００１０】
請求項５に記載する配線経路を有する連結型マットは、請求項４における配線溝が該連結型マットの端縁部において該凸部、もしくは凹部の中心を通過して隣り合う他の連結型マットに形成される配線溝と連結する。
【００１１】
請求項６に記載する配線経路を有する連結型マットは、請求項６における連結型マットは、発泡材による本体の底面に該凹状の配線溝を形成する。
【考案の効果】
【００１２】
本考案による配線経路を有する連結型マットは、配線上に敷設した場合、配線を位置決めし、マット内に隠蔽することができ、当該部分の連結型マットが隆起することなくマット全体の平坦性を維持する効果を具える。
【考案を実施するための最良の形態】
【００１３】
この考案は、電気機器などのコードが通過する経路を有する連結型マットを提供するものであって、連結型マットの底面に凹状の配線溝を形成して構成する。
かかる連結型マットの構造と特徴を詳述するために、具体的な実施例を挙げ、図示を参照にして以下に説明する。
【実施例】
【００１４】
図２、３に、この考案による連結型マットを開示する。図面によれば、連結型マット（４）は、着脱自在に嵌挿する補強パッド（５）を具えてなり、複数枚連結し、所定の面積にして床面などに敷設する。
【００１５】
連結型マット（４）は、発泡材による本体（４１）の底面（４１１）に配線溝（４２）を形成するとともに、外周縁部（４３）には凹部（４４）と凸部（４５）とを互い違いに形成し、連続する凹凸状を形成する。この場合、対向する両側辺において、一方の凹部（４４）に他方の凸部（４５）が対向するように形成する。
【００１６】
本体（４１）の底面に形成する配線溝（４２）は、本体（４１）の一方の端縁部の凸部（４５）、もしくは凹部（４４）の中心から対向する他方の端縁部の凹部（４４）、もしくは凸部（４５）の中心に至る複数の凹溝（４２１）、（４２２）が垂直に交差して形成される。複数の連結型マット（４）を連結した場合、凹溝（４２１）、（４２２）の両端縁部は、隣接する他の連結型マット（４）の凹溝（４２１）、（４２２）と連結して電源コードなどが通過する経路を構成する。
【００１７】
補強パッド（５）は、配線溝（４２）を構成する凹溝（４２１）と、（４２２）の形状に合わせて形成されるパッド本体（５１）と、（５２）とによってなり、該配線溝（４２）に着脱自在に嵌挿して連結型マット（４）の底面を平坦にするために用いる。
【００１８】
以上の構成による連結型マット（４）を使用する場合は、敷設する場所の形状に合わせて複数の連結型マット（４）のそれぞれの凹部（４４）と凸部（４５）とを嵌合し、連結して敷設する。この場合、図４、５に開示するように、配線（６）上に位置する連結型マット（４）の補強パッド（５）を除去する。よって配線（６）は配線溝（４２）に沿って連結型マット（４）の底面（４１１）を通過し、且つ十字状に交差する凹溝（４２１）、（４２２）に沿って任意に方向を転換したり、距離を延長させたりすることができる。このため、配線（６）を位置決めし、且つ隠蔽することができ、連結型マット（４）が配線（６）上に位置することによって本体（４１）が隆起することなく、連結したマット全体の平坦性を維持することができる。
【００１９】
図６に開示するように、配線溝（４２）は２本の平衡する凹溝（４２３）と、これに直交する１本の凹溝（４２４）とによって形成してもよい。この場合、補強パッド（５）の形状は、配線溝（４２）の形状に合わせて形成する。係る配線溝（４２）の形状は、配線（６）が複数設けられている場合などに便利である。
【００２０】
以上はこの考案の好ましい実施例であって、この考案の実施の範囲を限定するものではない。よって、当業者のなし得る修正、もしくは変更であって、この発明の精神の下においてなされ、この考案に対して均等の効果を有するものは、いずれも本考案の実用新案登録請求の範囲に属するものとする。
【産業上の利用可能性】
【００２１】
本考案は、床板材の用途にも適用できる。
【図面の簡単な説明】
【００２２】
【図１】従来の連結型マットを配線上に敷設した状態を表わす説明図である。
【図２】この考案による連結型マットを連結した例を表わす説明図である。
【図３】この考案による連結型マットの分解図である。
【図４】この考案による連結型マットを配線上に敷設した状態を表わす説明図である。
【図５】この考案による連結型マットを配線上に敷設した状態を表わす他の説明図である。
【図６】この考案による連結型マットの他の実施形態の分解図である。
【符号の説明】
【００２３】
１  連結型マット
２  コード
３  コードカバー
４  連結型マット
４１  本体
４１１ 底面
４２  配線溝
４２１、４２２ 凹溝
４２３、４２４ 凹溝
４３  外周縁部
４４  凹部
４５  凸部
５  補強パッド
５１、５２ パッド本体
６  配線
【図１】
0003101013.tif 000003
【図２】
0003101013.tif 000004
【図３】
0003101013.tif 000005
【図４】
0003101013.tif 000006
【図５】
0003101013.tif 000007
【図６】
0003101013.tif 000008